(57)【要約】      （修正有）【課題】感震ブレーカーの作動により電気が遮断され光のない空間の中でも安全迅速な避難のために必要な灯りの確保をする、感震ブレーカーを提供する。【解決手段】地震等の揺れにより、オモリ５が支え板６に載せたオモリ台１７から落下することにより、垂直落下枠３を通りブレーカースイッチ１に取り付けられた第一のヒモ２と第二のヒモ７がオモリに引っ張られてブレーカースイッチが切り替わる。かつ、絶縁プレート８が、支え板６に取り付け部材としての面ファスナー凸面及び面ファスナー凹面で取り付けられたライト装置９から抜けることにより、ライト装置が通電し点灯部１０が点灯する。よって、付近を夜間や暗闇でも容易に確認できる。また、取り外し時は人の手によって容易にライト装置を取り外すことができ、避難時の非常灯として使用できる。【選択図】図１
0003234813.tif 000002
【実用新案登録請求の範囲】
【請求項１】
ブレーカースイッチと、前記ブレーカースイッチ近傍に設置されたオモリ台を載せた支え板と、一端が前記オモリ台に載せたオモリに取り付けるとともに他端が前記ブレーカースイッチに取り付けられる第一のヒモと、前記第一のヒモが通る垂直落下枠と、前記支え板と面で脱着できる取り付け部材により取り付けられるライト装置と、前記ライト装置の電源を絶縁する絶縁プレートと、一端が前記オモリに取り付けるとともに他端が前記絶縁プレートに取り付けられる第二のヒモとを備え、
前記オモリが前記オモリ台から落下することにより、前記第一のヒモと前記第二のヒモが前記オモリに引っ張られて前記ブレーカースイッチが切り替わるとともに、前記絶縁プレートが前記ライト装置から抜けることにより前記ライト装置が通電し点灯する、感震ブレーカー。
【請求項２】
前記取り付け部材は面で脱着できるファスナーであることを特徴とする請求項１記載の感震ブレーカー。
【請求項３】
前記絶縁プレートが抜けることで、バネの弾性力により電極同士が接触して通電し前記ライト装置が点灯することを特徴とする請求項１または２記載の感震ブレーカー。
【考案の詳細な説明】
【技術分野】
【０００１】
本考案は、感震ブレーカーに関するものである。
【背景技術】
【０００２】
従来の感震ブレーカーは作動すると電気が遮断され光のない空間は暗闇となるものである。
【考案の概要】
【考案が解決しようとする課題】
【０００３】
感震ブレーカーが作動後は電気が遮断され光のない空間は暗闇となり、安全迅速な避難のためには、灯りの確保が必要である。
【課題を解決するための手段】
【０００４】
本考案に係る感震ブレーカーは、ブレーカースイッチと、前記ブレーカースイッチ近傍に設置されたオモリ台を載せた支え板と、一端が前記オモリ台に載せたオモリに取り付けるとともに他端が前記ブレーカースイッチに取り付けられる第一のヒモと、前記第一のヒモが通る垂直落下枠と、前記支え板と面で脱着できる取り付け部材により取り付けられるライト装置と、前記ライト装置の電源を絶縁する絶縁プレートと、一端が前記オモリに取り付けるとともに他端が前記絶縁プレートに取り付けられる第二のヒモとを備え、前記オモリが前記オモリ台から落下することにより、前記第一のヒモと前記第二のヒモが前記オモリに引っ張られて前記ブレーカースイッチが切り替わるとともに、前記絶縁プレートが前記ライト装置から抜けることにより前記ライト装置が通電し点灯することを特徴とする。
【考案の効果】
【０００５】
感震ブレーカーの作動により電気が遮断され光のない空間の中でも安全迅速な避難のために必要な灯りの確保ができる。
【図面の簡単な説明】
【０００６】
【図１】本考案の非常用ライトを備えた感震ブレーカーの実施形態の一例を示した図である。
【図２】ライト装置は面で脱着できる取り付け部材により前記オモリ台から脱着できることを示した上からの図である。
【図３】ライト装置は面で脱着できる取り付け部材により前記オモリ台から脱着できることを示した下からの図である。
【図４】ライト装置の未通電状態を示す図である。
【図５】ライト装置の通電状態を示す図である。
【図６】本考案の非常用ライトを備えた感震ブレーカーの実施形態の別例を示した図である。
【考案を実施するための形態】
【０００７】
以下本考案を具体化した一実施形態について図面を参照しつつ説明する。本実施形態に係る感震ブレーカーは、ブレーカースイッチ１と、ブレーカースイッチ１近傍に設置されたオモリ台１７を載せた支え板６と、一端がオモリ台１７に載せたオモリ５に取り付けるとともに他端がブレーカースイッチ１に取り付けられる第一のヒモ２と、第一のヒモ２が通る垂直落下枠３と、支え板６と面で脱着できる取り付け部材としての面ファスナー凸面１１及び面ファスナー凹面１２により取り付けられるライト装置９と、ライト装置９の電源を絶縁する絶縁プレート８と、一端がオモリ５に取り付けるとともに他端が絶縁プレート８に取り付けられる第二のヒモ７とからなる。
【実施例】
【０００８】
図１は、ブレーカースイッチ１がONの状態は上に位置し、OFFにするには下に下ろす場合での実施例を示している。垂直落下枠３はブレーカースイッチ１に対して鉛直方向下方に設置されている。なお、垂直落下枠３はオモリ５の落下の力の作用を、ブレーカースイッチ１をOFFにする向きに働かせる役割を持っている。
【０００９】
オモリ台１７を載せた支え板６は、ブレーカースイッチ１近傍に平常時オモリ台１７に載せたオモリ５が落下しないよう設置されており、オモリ５からは、第一のヒモ２の一端がオモリ５に、他端は垂直落下枠３の枠内を通ってブレーカースイッチ１に結びつけテープ等で固定されている。かつ、第二のヒモ７の一端がオモリ５に、他端は絶縁プレート８に結びつけられている。なお、第一のヒモ２と第二のヒモ７は別々でなくひと続きであっても良い。また、第一のヒモ２及び第二のヒモ７の長さは、床面１６からの高さや設置する場所に応じて、オモリ５が落下した際にブレーカースイッチ１をOFFにするとともに絶縁プレート８がライト装置９から抜ける長さに調整する。
【００１０】
図２及び図３は、オモリ台１７を載せた支え板６には、点灯部１０（例えば、発光ダイオード）を有するライト装置９が、面で脱着できる取り付け部材としての面ファスナー凸面１１及び面ファスナー凹面１２によって取り外されている状態を示している。
【００１１】
図４及び図５は、ライト装置９及び点灯部１０（発光ダイオード）の回路図であり、その回路を駆動するための第一電池１３と第二電池１４（例えば、ボタン式電池CR2032）は直列に接続され、点灯部１０（発光ダイオード）の端子と第一電池１３の電極との間にバネ１５が配置され、電気的接続を図るとともに、第一電池１３を、絶縁プレート８を介して第二電池１４に対して付勢している。
【００１２】
図４では第一電池１３を第二電池１４の間に絶縁プレート８により電気的に絶縁され未通電の状態で点灯部１０が消灯している状態を示している。
【００１３】
図５では前記絶縁プレートが外れ、バネの弾性力により第一電池１３が第二電池１４に付勢され、第一電池１３と第二電池１４の電極同士が接触して通電し点灯部１０が点灯している状態を示している。なお、絶縁プレート８は回路上の通電を遮断するどの位置に配置しても良い。そのため電池の数は本実施形態の２個に限られず１個また３個以上の場合でも良い。
【００１４】
次に、本実施例の各部の作用について説明する。例えば、震度５相当の地震が発生した際、オモリ５が、オモリ台１７から落下し、オモリ５の落下の力によって、第一のヒモ２が垂直落下枠３方向へ引っ張られることで、ブレーカースイッチ１がOFFに切り替わる。ブレーカースイッチ１がOFFに切り替わることで停電復旧の際に通電火災が発生することを未然に防ぐことができる。かつ、同時にオモリ５の落下とともに第二のヒモ７が引っ張られることでヒモの端に結んだ絶縁プレート８が外れ、図５の状態となり点灯部１０が点灯する。
【００１５】
つまり本実施例は、オモリ５がオモリ台１７から落下することにより、第一のヒモ２と第二のヒモ７がオモリ５に引っ張られてブレーカースイッチ１が切り替わるとともに、絶縁プレート８がライト装置９から抜けることによりライト装置９が通電し点灯することを特徴とする。
【００１６】
例えば、震度５強相当の地震では、家具が倒れたり、棚から物が落下散乱、また、ブロック塀が崩れたりし、さらに停電が発生する場合が想定される。停電発生後、復旧に伴う通電火災を、ブレーカースイッチ１を自動でOFFにすることで未然に防ぐとともに、点灯したライトの灯りでブレーカースイッチ１の付近を夜間や暗闇でも容易に確認ができる。
【００１７】
さらに、面で脱着できる取り付け部材としての面ファスナー凸面１１及び面ファスナー凹面１２によって、支え板６とライト装置９は鉛直方向には強固に取り付けられており、取り外し時は人の手によって容易にライト装置９を取り外すことができ、避難時の非常灯として使用できる。また、ライト装置９は、容易に脱着が可能なことにより、ライト装置内の電池の交換が容易であり、定期的な点検が可能である。
【００１８】
さらに、絶縁プレートは磁力等を発生しないため、磁力による電池への負荷や劣化を受けず安定的に作動する。
【００１９】
図６は、図１に示す実施例の変形例であり、ブレーカースイッチ１をOFFにする向きが下から上の場合を示している。本変形例では、垂直落下枠３をブレーカースイッチ１に対して鉛直方向上方に設置することでオモリ５の落下の力の作用を、ブレーカースイッチ１をOFFにする向きに働かせ、実施例と同様の効果を得られることを示している。
【符号の説明】
【００２０】
１    ブレーカースイッチ
２    第一のヒモ
３    垂直落下枠
５    オモリ
６    支え板
７    第二のヒモ
８    絶縁プレート
９    ライト装置
９a   ライト装置上部カバー
９ｂ  ライト装置下部カバー
１０  点灯部
１１  面ファスナー凸面
１２  面ファスナー凹面
１３  第一電池
１４  第二電池
１５  バネ
１６  床面
１７  オモリ台
【図１】
0003234813.tif 000003
【図２】
0003234813.tif 000004
【図３】
0003234813.tif 000005
【図４】
0003234813.tif 000006
【図５】
0003234813.tif 000007
【図６】
0003234813.tif 000008